(57)【特許請求の範囲】
【請求項１】
走行車両に、該走行車両の前部に設けられた混合物収容用のホッパと、該ホッパ内の混合物を該走行車両の後方へ搬送するコンベア装置と、該走行車両の後部で舗装する面にアスファルト乳剤を散布する乳剤散布装置と、該乳剤の散布された前記舗装面上で前記コンベア装置により搬送されて来る前記混合物を左右に撒き拡げるスクリュースプレッダと、該スクリュースプレッダで拡げられた混合物を前記舗装面上に敷き均すスクリードと、を備えた舗装機械におけるアスファルト混合物の送り出し量制御装置において、
前記スクリュースプレッダの前方に滞留する前記混合物の高さを検出するパドルフロコン用センサと、
該センサにより前記混合物の高さが一定の高さ以上であることが検出されたら、前記コンベア装置による混合物搬送量と前記スクリュースプレッダによるアスファルト混合物の撒き出し量を同時に制御するコントローラと、
を備え、
前記パドルフロコン用センサは、
一端側が前記スクリュースプレッダ側に突出し、かつ他端側が前記スクリードの左右端に回動可能に取り付けられているとともに、前記スクリュースプレッダの前に滞留する前記混合物の高さが一定の高さ以上になると前記一端側がその混合物に押されて回動し、混合物の高さが一定の高さ以下になると定点位置に復帰するようにして配設されたパドルと、
該パドルの回動操作に連動してオン・オフするスイッチと、
で構成され、該スイッチのオン・オフ信号を前記コントローラに出力することを特徴とする舗装機械におけるアスファルト混合物の送り出し量制御装置。
【請求項２】
前記コントローラは、前記コンベア装置による混合物搬送量と前記スクリュースプレッダによるアスファルト混合物の撒き出し量の速度制御を、予め手動で入力される設定速度から計算してコントロールすることを特徴とする請求項１記載の舗装機械におけるアスファルト混合物の送り出し量制御装置。
【発明の詳細な説明】
【技術分野】
【０００１】
本発明は舗装機械におけるアスファルト混合物の送り出し量制御装置、特にアスファルト乳剤を散布する乳剤散布装置を有する舗装機械におけるアスファルト混合物の送り出し量制御装置に関するものである。
【背景技術】
【０００２】
アスファルト乳剤を路面上に散布する乳剤散布機能と、乳剤が散布された路面上にアスファルト混合物を敷き均すアスファルト混合物敷き均し機能を、複合させた舗装機械は、従来から知られている（例えば、特許文献１参照）。
【０００３】
特許文献１に知られる舗装機械は、走行車両に、該走行車両の前部に設けられた混合物収容用のホッパと、該ホッパ内の混合物を該走行車両の後方へ搬送するコンベア装置と、該走行車両の後部で舗装する面にアスファルト乳剤を散布する乳剤散布装置と、該乳剤の散布された前記舗装面上で前記コンベア装置により搬送されて来る前記混合物を左右に撒き拡げるスクリュースプレッダと、該スクリュースプレッダで拡げられた混合物を前記舗装面上に敷き均すスクリードと、を備えた構成となっている。
【０００４】
また、上記のような舗装機械において、スクリードの前方に滞留する混合物の高さが一定の高さ以上になると、その混合物に押されて揺動するパドルを設け、該パドルによりスイッチをオン・オフさせてスクリュースプレッダ等によるアスファルト混合物の送り出し量を制御するようにしたものも知られている（例えば、特許文献２参照）。
【０００５】
ところで、舗装機械において、アスファルト乳剤(タックコート)を散布する乳剤散布装置を有したアスファルトフィニッシャ（ペーバ）、いわゆるアスファルト乳剤散布装置付舗装機械(「タックペーバ」とも言う)等の場合は、後輪タイヤの後側に乳剤散布装置が設けられているので、コンベア装置の混合物出口がアスファルト乳剤散布装置を持たない標準の舗装機械におけるコンベア装置の混合物出口に比べて高い位置にある。そのため、アスファルト乳剤散布装置付舗装機械の場合は、標準のアスファルトフィニッシャのようにコンベア装置の混合物出口に混合物の送り量を制御するパドルフロコンを取り付け、このパドルフロコンの制御でスクリードの前方に滞留する混合物の量を自動で制御することが難しい。
【０００６】
そこで、従来のアスファルト乳剤散布装置付舗装機械においては、コンベア装置の混合物出口に対向させてコンベア装置用のパドルフロコンを取り付け、このコンベア装置用のパドルフロコンによりコンベア装置の混合物搬送速度(混合物の搬送量)を制御するとともに、これとは別にスクリードの左右端部から延びるエンドプレートにスクリュースプレッダ用のパドルフロコンを取り付け、このスクリュースプレッダ用のパドルフロコンによりスクリュースプレッダの速度を調整して混合物の搬送量(左右に掻き拡げる量)を制御することによりスクリードの前方に滞留する混合物量を調整するようにしている。
【先行技術文献】
【特許文献】
【０００７】
【特許文献１】特開２００４−１３１９５８号公報。
【特許文献２】特開平６−７２４０６号公報。
【発明の概要】
【発明が解決しようとする課題】
【０００８】
上述したように、従来のアスファルト乳剤散布装置付舗装機械等においては、コンベア装置による混合物の搬送量を制御するためのコンベア装置用のパドルフロコンと、スクリュースプレッダの速度を調整して混合物の搬送量(左右に掻き拡げる量)を制御するためのスクリュースプレッダ用のパドルフロコンの、２つのパドルフロコンを設けて、スクリードの前方に滞留する混合物量を調整する構造としている。このため、２つのパドルフロコンを使用しているので構造が複雑化し、コストアップになっているという問題点があった。
【０００９】
また、アスファルト乳剤散布装置付舗装機械等はコンベア装置の落ち口(混合物出口)が高く、アスファルト乳剤散布装置を持たない標準の舗装機械におけるコンベア装置の混合物出口の位置と比べて高い位置にある。このため、従来装置のようにコンベア装置の混合物出口に対向させてコンベア装置用のパドルフロコンを取り付けると、混合物がスクリュースプレッダのモータ部近くまで溜まり、スクリードの前方に滞留する混合物の量が多くなり、結果として制御不能になることが心配される問題点があった。
【００１０】
そこで、一つのパドルフロコンでコンベア装置による混合物の搬送量の制御とスクリュースプレッダによる混合物の搬送量の制御を同時にできるようにして、構造の簡略化を図り、コストダウンを可能にするために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、走行車両に、該走行車両の前部に設けられた混合物収容用のホッパと、該ホッパ内のアスファルト混合物を該走行車両の後方へ搬送するコンベア装置と、該走行車両の後部で舗装する面にアスファルト乳剤を散布する乳剤散布装置と、該乳剤の散布された前記舗装面上で前記コンベア装置により搬送されて来る前記混合物を左右に撒き拡げるスクリュースプレッダと、該スクリュースプレッダで拡げられた混合物を前記舗装面上に敷き均すスクリードと、を備えた舗装機械におけるアスファルト混合物の送り出し量制御装置において、前記スクリュースプレッダの前方に滞留する前記混合物の高さを検出するパドルフロコン用センサと、該センサにより前記混合物の高さが一定の高さ以上であることが検出されたら、前記コンベア装置による混合物搬送量と前記スクリュースプレッダによるアスファルト混合物の撒き出し量を同時に制御するコントローラと、を備え、前記パドルフロコン用センサは、一端側が前記スクリュースプレッダ側に突出し、かつ他端側が前記スクリードの左右端に回動可能に取り付けられているとともに、前記スクリュースプレッダの前に滞留する前記混合物の高さが一定の高さ以上になると前記一端側がその混合物に押されて回動し、混合物の高さが一定の高さ以下になると定点位置に復帰するようにして配設されたパドルと、該パドルの回動操作に連動してオン・オフするスイッチと、で構成され、該スイッチのオン・オフ信号を前記コントローラに出力する舗装機械におけるアスファルト混合物の送り出し量制御装置を提供する。
【００１２】
この構成によれば、パドルフロコン用センサにより、スクリュースプレッダの前方に滞留する混合物の高さが一定の高さ以上であることが検出されたら、コントローラがコンベア装置による混合物の搬送量とスクリュースプレッダによるアスファルト混合物の撒き出しを同時に止める等の制御を行い、混合物の撒き出し量を制御する。したがって、１つのパドルフロコン用センサからの信号をコントローラに入力させ、このコントローラによりコンベア装置による混合物搬送量とスクリュースプレッダによるアスファルト混合物の撒き出し量を同時に制御できる。
【００１４】
また、パドルフロコン用センサを、回動するパドルと、該パドルの回動操作に連動してオン・オフするスイッチとで構成することができる。
【００１５】
請求項２記載の発明は、請求項１記載の構成において、前記コントローラは、前記コンベア装置による混合物搬送量と前記スクリュースプレッダによるアスファルト混合物の撒き出し量の速度制御を、予め手動で入力される設定速度から計算してコントロールする舗装機械におけるアスファルト混合物の送り出し量制御装置を提供する。
【００１６】
この構成によれば、前記コンベア装置による混合物搬送量と前記スクリュースプレッダによるアスファルト混合物の撒き出し量を、予め手動入力により設定しておくことができる。
【発明の効果】
【００１７】
請求項１記載の発明は、１つのパドルフロコン用センサからの信号をコントローラに入力させ、このコントローラによりコンベア装置による混合物搬送量とスクリュースプレッダによるアスファルト混合物の撒き出し量を同時に制御することができるので、従来装置がコンベア装置用のパドルフロコンとスクリュースプレッダ用のパドルフロコンの、２つのパドルフロコンを使用してコンベア装置による混合物搬送量とスクリュースプレッダによる撒き出し量を制御していたのと比べて、構造の簡素化が図れ、同時にコストダウンが可能になる。
【００１８】
また、パドルフロコン用センサを、回動するパドルと該パドルの回動操作に連動してオン・オフするスイッチとで構成して簡素化を図ることができるので、請求項１の発明の効果に加えて、さらに構造の簡素化とコストダウンが可能になる。
【００１９】
請求項２記載の発明は、コンベア装置による混合物搬送量とスクリュースプレッダによるアスファルト混合物の撒き出し量の各制御量を、予め手動入力により設定しておくことができるので、請求項１記載の発明の効果に加えて、より細かな制御が可能なる。
【図面の簡単な説明】
【００２０】
【図１】本発明の一実施形態として示すアスファルト乳剤散布装置付舗装機械の側面図。
【図２】同上アスファルト乳剤散布装置付舗装機械の平面図。
【図３】同上アスファルト乳剤散布装置付舗装機械の後部における要部装置の配置構成図。
【図４】図３の平面図。
【図５】パドルフロコン用センサの配置構成を示す平面図。
【図６】図５の側面図。
【図７】アスファルト乳剤散布装置付舗装機械の回路系統図。
【発明を実施するための最良の形態】
【００２１】
本発明は、一つのパドルフロコンでコンベア装置による混合物の搬送量の制御とスクリュースプレッダによる混合物の搬送量の制御を同時にできるようにして、構造の簡略化を図り、コストダウンを可能にするという目的を達成するために、走行車両に、該走行車両の前部に設けられた混合物収容用のホッパと、該ホッパ内の混合物を該走行車両の後方へ搬送するコンベア装置と、該走行車両の後部で舗装する面にアスファルト乳剤を散布する乳剤散布装置と、該乳剤の散布された前記舗装面上で前記コンベア装置により搬送されて来る前記混合物を左右に撒き拡げるスクリュースプレッダと、該スクリュースプレッダで拡げられた混合物を前記舗装面上に敷き均すスクリードと、を備えた舗装機械におけるアスファルト混合物の送り出し量制御装置において、前記スクリードの前方に滞留する前記混合物の高さを検出するパドルフロコン用センサと、該センサにより前記混合物の高さが一定の高さ以上であることが検出されたら、前記コンベア装置による混合物搬送量と前記スクリュースプレッダによるアスファルト混合物の撒き出し量を同時に制御するコントローラと、を備え、前記パドルフロコン用センサは、一端側が前記スクリュースプレッダ側に突出し、かつ他端側が前記スクリードの左右端に回動可能に取り付けられているとともに、前記スクリュースプレッダの前に滞留する前記混合物の高さが一定の高さ以上になると前記一端側がその混合物に押されて回動し、混合物の高さが一定の高さ以下になると定点位置に復帰するようにして配設されたパドルと、該パドルの回動操作に連動してオン・オフするスイッチと、で構成され、該スイッチのオン・オフ信号を前記コントローラに出力することにより実現した。
【００２２】
以下、本発明の実施形態による舗装機械を図面を参照しながら説明する。
【実施例】
【００２３】
図１及び図２は本発明に係る舗装機械の一実施例を示すもので、図１はその側面図、図２はその平面図である。以下の説明において、図１の左右方向左側を前後方向前方、右側を後方とし、また上下方向を上下、紙面に垂直な方向を左右として説明する。
【００２４】
図１及び図２において、この舗装機械１０は、アスファルト乳剤の散布と共にアスファルト混合物の敷き均しを行うアスファルトフィニッシャであり、前輪１１ａと後輪１１ｂを設けた自走式の走行車両１１と、この走行車両１１の前部に設けられたアスファルト混合物収容用のホッパ１２と、該ホッパ１２内の混合物を該走行車両１１の後方へ搬送するコンベア装置１３と、該走行車両１１の後部で舗装する面にアスファルト乳剤を散布する左右、前後に分けて伸縮自在に設けられた１対の乳剤散布装置１４,１４と、該乳剤の散布された舗装面上で該コンベア装置１３により搬送されて来る混合物を左右に撒き拡げるスクリュースプレッダ１５と、該スクリュースプレッダ１５で拡げられた混合物を前記舗装面上に敷き均す左右１対のスクリード１６,１６と、から構成されているものである。
【００２５】
前記左右１対の乳剤散布装置１４,１４は、前記スクリュースプレッダ１５の直前で、
かつ前記走行車両１１の進行方向前後に位置をずらして互いに平行に配置された状態で該走行車両１１に各々支持されており、アスファルト乳剤を舗装面に散布できるようになっている。また、該左右１対の乳剤散布装置１４,１４は、それぞれ走行車両１１の幅方向(左右方向)に伸縮自在に構成されており、この伸縮により乳剤の散布幅を任意に調整する
ことができるようになっている。
【００２６】
前記左右１対のスクリード１６,１６は、前記走行車両１１の左右両側面にレベリングアーム１６ａを上下回動自在に取り付けるとともに該レベリングアーム１６ａの後端部を該スクリード１６,１６の外側面に連結して、前記スクリュースプレッダ１５の後側に設
けられており、該走行車両１１の進行に伴い牽引されるように構成してある。また、該左右１対のスクリード１６,１６は、それぞれ前記走行車両１１の幅方向(左右方向)に伸縮
自在に構成されており、この伸縮によりアスファルト混合物の敷き均し幅を任意に調整することができるようになっている。
【００２７】
また、図３及び図４に示すように、前記コンベア装置１３の混合物出口２７は、前記スクリュースプレッダ１５の直前で、かつ上方位置に設けられている。そして、該コンベア装置１３でホッパ１２内から搬送されて来る混合物は、スクリュースプレッダ１５上に落下される。落下された混合物は、アスファルト乳剤が散布されている舗装面上に、前記スクリュースプレッダ１５の回転により左右に撒き拡げられ、この混合物が前記スクリード１６の前方に滞留された後、該スクリード１６により敷き均されるようになっている。
【００２８】
さらに、前記スクリュースプレッダ１５の直後には、図５及び図６に示すように、前記スクリード１６の前方に滞留する混合物の高さが一定の高さ以上になると、その混合物の高さを検出するためのセンサとしてパドルフロコン用センサ１７が設けられている。
【００２９】
前記パドルフロコン用センサ１７は、左右のスクリード端の各エンドプレート１９にブラケット１８を介して各々取り付けられた状態にして、１対設けられている。さらに詳述すると、各パドルフロコン用センサ１７は、一端(先端部２０ａ)側がスクリュースプレッダ１５の前側に突出し、かつ他端(基端部２０ｂ)側がブラケット１８に回動可能に取り付けられているパドル２０と、該パドル２０の先端部２０aの回動操作に連動してオン・オフされる左右のパドルフロコン用スイッチ１７Ｌ，１７Ｒ(図７参照)とを備えている。
【００３０】
前記パドルフロコン用センサ１７の前記各パドル２０は、前記スクリード１６の前に滞
留する前記混合物の高さが一定の高さになる前、図示しない付勢バネによる力または自重により、真下を向いた状態で保持されている。
【００３１】
そして、前記各パドル２０は、前記スクリード１６の前、すなわちスクリュースプレッダ１５の前に滞留する前記混合物の高さが一定の高さ以上になると、先端部２０ａ側が前記混合物に押され、扇状に旋回して動く。一方、前記スイッチ１７Ｌ，１７Ｒは、前記各パドル２０の先端部２０ａが扇状に旋回移動し、ある設定高さまで先端部２０ａが混合物によって持ち上げられたらオンする。また、前記各パドル２０は、前記スクリード１６の前に滞留する前記混合物の高さが一定の高さ以下になると、先端部２０ａが混合物に押されなくなり、付勢バネの力または自重により元の位置に戻る。
【００３２】
また、前記スイッチ１７Ｌ，１７Ｒのオン・オフ信号は、図７に示すコントローラ２２に出力され、該コントローラ２２では該信号を基に前記コンベア装置１３及び前記スクリュースプレッダ１５の回転等を制御する。
【００３３】
前記コントローラ２２は、舗装機械１０の全体動作を制御するものであり、マイクロコンピュータ(通称「マイコン」)を主体として構成されている。該コントローラ２２には、例えば左右のパドルフロコン用の前記スイッチ１７Ｌ,１７Ｒと、左右のコンベヤダイヤ
ル２３Ｌ,２３Ｒと、左右のスクリューダイヤル２４Ｌ,２４Ｒと、左右のコンベアソレノイドバルブ(ＳＯＬ)２５Ｌ,２５Ｒと、左右のスクリューソレノイドバルブ(ＳＯＬ)２６
Ｌ,２６Ｒ等が接続されている。
【００３４】
そして、前記左右のパドルフロコン用スイッチ１７Ｌ,１７Ｒがオフの場合は、前記左
右のコンベヤダイヤル２３Ｌ,２３Ｒ及び前記左右のスクリューダイヤル２４Ｌ,２４Ｒから、前記コンベア装置１３の速度及び前記スクリュースプレッダ１５の速度を前記コントローラ２２で計算し、その各ダイヤル２３Ｌ,２３Ｒ、２４Ｌ,２４Ｒで設定された速度になるように、前記左右のコンベアソレノイドバルブ(ＳＯＬ)２５Ｌ,２５Ｒ及び前記左右
のスクリューソレノイドバルブ(ＳＯＬ)２６Ｌ,２６Ｒの各ソレノイドに信号を出力し、
前記コンベア装置１３と前記スクリュースプレッダ１５をそれぞれ動かす。
【００３５】
一方、混合物量が一定の高さになり、前記左右のパドルフロコン用スイッチ１７Ｌ,１７Ｒがオンになると、前記コントローラ２２は前記左右のコンベアソレノイドバルブ(ＳＯＬ)２５Ｌ,２５Ｒと前記左右のスクリューソレノイドバルブ(ＳＯＬ)２６Ｌ,２６Ｒの各ソレノイドへの信号出力を止め、前記コンベア装置１３と前記スクリュースプレッダ１５をそれぞれ止める。
【００３６】
なお、本発明は、本発明の精神を逸脱しない限り種々の改変を為すことができ、そして、本発明が該改変されたものに及ぶことは当然である。
【産業上の利用可能性】
【００３７】
以上説明したように、本発明はアスファルトフィニッシャ以外に、リペーバあるいはリミキサ等の敷き均し機械にも応用できる。
【符号の説明】
【００３８】
１０      舗装機械
１１      走行車両
１１ａ    前輪
１１ｂ    後輪
１２      ホッパ
１３      コンベア装置
１４      乳剤散布装置
１５      スクリュースプレッダ
１６      スクリード
１７      パドルフロコン用センサ
１７Ｌ，１７Ｒ    パドルフロコン用スイッチ
１８      ブラケット
１９      エンドプレート
２０      パドル
２０ａ    先端部
２０ｂ    基端部
２２      コントローラ
２３Ｌ,２３Ｒ  コンベアダイヤル
２４Ｌ,２４Ｒ  スクリューダイヤル
２５Ｌ,２５Ｒ  コンベアソレノイドバルブ
２６Ｌ,２６Ｒ  スクリューソレノイドバルブ
２７      混合物出口
【図１】
0005684093.tif 000002
【図３】
0005684093.tif 000003
【図４】
0005684093.tif 000004
【図６】
0005684093.tif 000005
【図７】
0005684093.tif 000006
【図２】
0005684093.tif 000007
【図５】
0005684093.tif 000008